(57)【要約】【課題】手の不自由な人であっても、簡単に操作するだけで、内外のハンドルをストレート方向にプシュ、又はプルさせることができ、これにより錠箱内のラッチストッパーの係止状態を解除することができること。【解決手段】外側ハンドルと内側ハンドルを棒状操作軸で一体的に連結し、この棒状操作軸の中央部分に傾斜面を有するカム部を形成し、一方、後端部に前記カム部が摺接す被係合部を有すると共に、錠箱に支承させたラッチと係脱する先端部を有する鉤状ラッチストッパーを錠箱内に軸支し、前記外側ハンドル又は内側ハンドルを操作軸のストレート方向へ水平移動させると、操作軸のカム部がラッチストッパーの被係合部に摺接して錠箱内に軸支されたラッチストッパーが付勢バネのバネ力に抗して係止解除の方向へ回転することを特徴とするプシュプル錠。【選択図】　図３
2004068518.tif 000002
【特許請求の範囲】
【請求項１】
外側ハンドルと内側ハンドルを棒状操作軸で一体的に連結し、この棒状操作軸の中央部分に傾斜面を有するカム部を形成し、一方、後端部に前記カム部が摺接す被係合部を有すると共に、錠箱に支承させたラッチと係脱する先端部を有する鉤状ラッチストッパーを錠箱内に軸支し、前記外側ハンドル又は内側ハンドルを操作軸のストレート方向へ水平移動させると、操作軸のカム部がラッチストッパーの被係合部に摺接して錠箱内に軸支されたラッチストッパーが付勢バネのバネ力に抗して係止解除の方向へ回転することを特徴とするプシュプル錠。
【請求項２】
請求項１に於いて、座には軸孔２６と連通し、かつ、ハンドルの嵌合部が摺接状態に嵌り合う嵌合凹所２５が形成され、該嵌合凹所の垂直壁面とハンドルの嵌合部端面に形成されたバネ端収納部３５との間には、ハンドルを外方向に付勢する復帰バネ３４が内装されていることを特徴とするプシュプル錠。
【請求項３】
請求項１に於いて、座の嵌合凹所２５は、ハンドルが回転しないような異径開口であることを特徴とするプシュプル錠。
【請求項４】
請求項１に於いて、座の軸孔２６は、操作軸が回転しないような異径形状であることを特徴とするプシュプル錠。
【発明の詳細な説明】
【０００１】
【発明の属する技術分野】
本発明は、浴室の開閉戸、玄関の開閉戸などに利用されるプシュプル錠に関し、特に内外のハンドルをプシュ（前方へ押す）、又はプル（手前へ引く）型のプシュプル錠に関する。
【０００２】
【従来の技術】
従来、プシュプル錠に関しては、特開平１１−５０７０７号公報がある。この実施例はドアの外壁面に軸部材を有する台座を固定し、前記軸部材には回動アームを設け、該回動アームはハンドル把手部が螺着する操作杆と、該操作杆の基端部から錠箱内まで延びる水平杆とから構成されていた。したがって、この実施例の内外のハンドルは、それぞれドアの外壁面に対して前後に回転可能である。この実施例は手の不自由な人であっても、内外のハンドルをそれぞれ回転操作させることにより、錠箱に設けられたラッチロック用ロックピース（本発明のラッチストッパーに相当する。）をロック解除の方向へ移動させることができるという利点がある。
【０００３】
しかしながら、上記構成にあっては、内外のハンドルをそれぞれ回転操作させる必要があるので、台座に相当するプレートに支持部材或いは軸受け部材を突起状に設けなければならないという問題点（普通一般のケース型の台座を用いることができないという欠点）があった。またラッチロック用ロックピースは、例えば内側ハンドルの水平杆により、バネ部材のバネ力に抗して上方に移動する逆ハット型形状のスライダーを介してロック解除の方向へ移動するので、結果的に部品点数も多くなり、又構造的にも複雑であるという問題点があった。
【０００４】
【発明が解決しようとする課題】
本発明の主たる目的は、内外のハンドルをドアの外壁面に対して前後に回転させる型のプシュプル錠では、部品点数が多くなる、各部材が構成上複雑化する等の事情に鑑み、手の不自由な人であっても、腕などを利用（簡単に操作）するだけで、内外のハンドルを単純にストレート方向にプシュ、又はプルすることができ、これにより錠箱内のラッチストッパーの係止状態を解除することができるプシュプル錠を提供することである。この主たる目的において、内外のハンドルが自動的に復帰すると、それと同時にラッチストッパーが再びラッチを自動係止（ロック）することができることである。
【０００５】
【課題を解決するための手段】
本発明のプシュプル錠は、外側ハンドルと内側ハンドルを棒状操作軸で一体的に連結し、この棒状操作軸の中央部分に傾斜面を有するカム部を形成し、一方、後端部に前記カム部が摺接す被係合部を有すると共に、錠箱に支承させたラッチと係脱する先端部を有する鉤状ラッチストッパーを錠箱内に軸支し、前記外側ハンドル又は内側ハンドルを操作軸のストレート方向へ水平移動させると、操作軸のカム部がラッチストッパーの被係合部に摺接して錠箱内に軸支されたラッチストッパーが付勢バネのバネ力に抗して係止解除の方向へ回転することを特徴とする。
【０００６】
ここで「ハンドル」とは、Ｌ型状のレバーハンドル、任意形状の長手状ハンドル、ノブなど操作軸に連結される操作部材をいう。また棒状操作軸の「中央部分」とは、端部を含まない意味合いであり、設計如何によっては、中央部分寄りの部位も含まれる。
【０００７】
【発明の実施の形態】
図１乃至１２図は、本発明の一実施例を示す各説明図である。まず、図面について説明する。これらの図面の中で、図７乃至図９はラッチストッパーがラッチを直接係止している状態の各説明図である。これに対して図１０乃至図１２は、棒状操作軸としてのハンドル軸を軸（ストレート）方向に水平移動（この実施例では外側ハンドル押す、内側ハンドルを引くの意味合い。）させ、前記ラッチストッパーの係止を解除した状態の各説明図である。図１は外側から見た正面図である。したがって、図１を基準にすると、図２は平面図である。図３は本発明の主たる構成部材の分解斜視図である。図４乃至図６は、ハンドル軸、外側ハンドル、外側長座、復帰バネとの組み合わせ構造を示す各説明図である。
【０００８】
まず環境部材も含め、各部材を簡単に説明する。１は戸枠の縦枠に設けられたラッチ用受け具である。２は戸（例えば浴室の開閉戸，玄関の開閉戸）。図２及び図７では、戸２を仮想線で示してある。３は錠箱で、この錠箱３はラッチ５が係合するフロント４を有している。錠箱３は戸２の自由端部にラッチ５が突出するように内装されている。
【０００９】
６は座の一例としての外側長座である。これに対して７は内側長座である。外側長座６と内側長座７はプシュプル錠Ｘの左右勝手を考慮し、同一構成にしてある。８は外側ハンドルである。これに対して９は内側ハンドルである。外側ハンドル８と内側ハンドル９も左右勝手を考慮し、同一構成にしてある。
【００１０】
１０は直線状のハンドル軸である。内外のハンドル９，８は、このハンドル軸１０の錠箱３から突出した突出端部に固着具を介して一体的に連結されている。
【００１１】
１２は先端部がラッチ５と係脱するように、一方、後端部はハンドル軸１０と常時係合するように枢軸１３を介して錠箱３内に設けられた板状ラッチストッパーである。１４は枢軸１３に設けられ、ラッチストッパー１２の先端部がラッチ５と係合するように常時付勢する付勢バネである。
【００１２】
１５は錠箱３内にフロント４の開口を囲むように設けられた断面コ字型状の固定支持枠で、この固定支持枠１５の上壁にはラッチストッパー１２の先端部が入り込む切欠部１６が形成されている。１７は固定支持枠１５に進退動自在に設けられたラッチ用スライダーで、このスライダー１７は、バネ端収納凹所を有し、ラッチ用バネ１８の一端部を受けている。
【００１３】
次に本発明の主たる部材の構成について作用と共に説明する。（１）棒状操作軸…棒状操作軸としてのハンドル軸１０は、縦断面が略四角形の角軸が用いられている。ハンドル軸１０は、少なくとも錠箱３並びに内外の座７，６に貫通状態に嵌挿され、その突出端部には内外のハンドル９，８がそれぞれ外嵌合している。しかして、ハンドル軸１０の中央部分は、図７及び図９で示すように、錠箱３内に位置するが、この中央部分の外壁面には傾斜面２１ａを有するカム部２１が突出形成されている。本実施例では、図９を基準にすると、カム部２１はハンドル軸１０の上下に対称的に設けられている。このカム部２１の傾斜面２１ａは、ラッチストッパーの係合部或いは被係合部の形状如何によって、溝状の傾斜面、円錐状の傾斜面等にすることもできる。
【００１４】
（２）ラッチストッパー…ラッチストッパー１２は、図３，図８などで示すように全体として鉤状に形成されている。指先状の先端部１２ａは、ラッチ５の後端部の上下にそれぞれ設けた係合突起５ａ，５ａのいずれか一方に係脱する。本実施例では、図８で示すように、ラッチストッパー１２は錠箱３の上方中央部に横設軸架された枢軸１３に軸支されているので、上方の係合突起５ａに係脱する。やや幅広に形成された後端部１２ｂは、固定支軸枠１５の後壁１５ａに対して多少離間して位置している。この後端部１２ｂには被係合部としての矩形状係合孔２２が形成されている。この係合孔２２の内径は、ハンドル軸１０のカム部２１を含めた外径よりも若干大きい。図８で示すように、ラッチ５がラッチストッパー１２によって係止されている施錠時、ハンドル軸１０のカム部２１はラッチストッパー１２の被係合部２２に臨むように該ラッチストッパー１２に貫通状態に嵌挿されている（図９参照）。ラッチストッパー１２用の付勢バネ１４は、中心部が枢軸に巻装されていると共に、一端部は固定支軸枠１５の後壁１５ａに圧接し、一方、他端部は前記後端部１２ｂに圧接している。
【００１５】
（３）座…外側長座６の中央部には、立方体或いは直方体形状（外観上、矩形状の開口）の凹所２５が形成され、この凹所２５の錠箱３と当接する垂直壁面の中央部には、該凹所２５と連通する四角型の軸孔２６が形成されている。凹所２５には外側ハンドル８の嵌合部が摺接可能に嵌合する。また外側長座６の両端部には固着具用の取付け孔２７，２７が形成されている。なお、外側長座６の裏側には交差する縦・横の補強リブが設けられている。
【００１６】
（４）外側ハンドル…外側ハンドル８は外観上Ｌ型状に形成され、図４及び図６で示すように、把手部分と連設する短い方の嵌合部３０には、その端面中央部から所要長さの軸挿入用嵌合孔３１が形成されている。この嵌合孔３１は外側長座６の軸孔２６と同様に四角型の穴である。また嵌合部３０の一側壁には嵌合孔３１に交差するネジ孔３２が形成され、該ネジ孔３２にはハンドル軸固定用の固着具３３が螺合する。さらに、本実施例では、嵌合部３０の端面に復帰バネ３４の外端部が嵌合する周溝３５が形成されている。
【００１７】
（５）復帰バネ…復帰バネ３４は、本実施例では、図７で示すように、その外端部は外側ハンドル８の嵌合部３０のバネ端収納部としての周溝３５に嵌合支持され、一方、内端部は外側長座６の垂直壁面に圧接し、ハンドル軸１０と一体の外側ハンドル８を常時外方向に付勢する。したがって、復帰バネ３４は、座の嵌合凹所の垂直壁面とハンドルの嵌合部端面に形成されたバネ端収納部３５との間に、当該ハンドル８（又は９）を外方向に付勢するように内装されている。
【００１８】
（６）作用…前述したように、図７乃至図９はラッチストッパー１２がラッチ５を直接係止している状態の各説明図である。このようにラッチストッパー１２が作用している係止時、外側ハンドル８は復帰バネ３４のバネ力により外方向に移動している。これに対して内側ハンドル９はハンドル軸１０と一体であるから、その嵌合部の端面は、内側長座７の垂直壁面に当接している。また、ラッチ５はラッチ用バネ１８のバネ力によりスライダー１７を介してフロント４から突出し、戸枠側の受け金具１に係合している。この時、錠箱３に後端部が支承されたラッチ５は、ラッチストッパー１２の先端部１２ａが係合しているため、回転しながら後退動することができない。
【００１９】
これに対して図１０乃至図１２は、ハンドル軸を軸（ストレート）方向に水平移動（この実施例では外側ハンドル押す、内側ハンドルを引く。）させ、前記ラッチストッパー１２の係止を解除した状態の各説明図である。例えば外側ハンドル８を単純にそのまま押すと、図１０に示すように復帰バネ３４は収縮し、外側ハンドル８の嵌合部３０の端面が外側長座６の垂直壁面に当接状態になる反面、内側ハンドル９の嵌合部３０の端面は内側長座７の垂直壁面から離れる。この時、ラッチストッパー１２の係合孔２２の下方縁部に押圧たるように対面するハンドル軸のカム部２１は、その下方傾斜面２１ａが係合孔２２の下方縁部に摺接し、該ラッチストッパー１２を押し下げる。その結果、図１１で示すようにラッチストッパー１２は枢軸１３を支点に時計方向に回転し、その先端部１２ａはラッチのロックを解除する。
【００２０】
【実施例】
本実施例では、図９を基準にすると、ハンドル軸１０のカム部２１の傾斜面２１ａは、ハンドル軸１０の上下に対称的に設けられているが、これに限定するものではない。例えばカム部２１の傾斜面２１ａは、一般的にラッチストッパーの係合部或いは被係合部の形状如何によって変更可能であるから、溝状の傾斜面、円錐状の傾斜面等にすることもできる。
【００２１】
また本実施例では、外側長座６の中央部に立方体或いは直方体形状の凹所２５が形成を形成しているが、この開口形状は、ハンドル軸を軸方向にそのまま移動させれば良い（ハンドルを回す必要がない）の意味合いを観念付けるものであるから、座の嵌合凹所２５は、ハンドルが回転しないような多角形の開口（三角形、五角形、六角形など異径の意味合い。）であれば良い。同様に座には軸孔２６は、ハンドル軸が回転しないような多角形形状（四角の他、三角形、五角形、六角形など異径の意味合い。）であれば良い。
【００２２】
【発明の効果】
以上の説明から明らかなように、本発明にあっては、外側ハンドルと内側ハンドルを棒状操作軸で一体的に連結し、この棒状操作軸の中央部分に傾斜面を有するカム部を形成し、一方、後端部に前記カム部が摺接す被係合部を有すると共に、錠箱に支承させたラッチと係脱する先端部を有する鉤状ラッチストッパーを錠箱内に軸支し、前記外側ハンドル又は内側ハンドルを軸方向へ水平移動させると、操作軸のカム部がラッチストッパーの被係合部に摺接して錠箱内に軸支されたラッチストッパーが付勢バネのバネ力に抗して係止解除の方向へ回転するので、例えば指がないなど手の不自由な人であっても、腕などを利用（簡単に操作）するだけで、内外の操作部材を操作軸のストレート方向にプシュ、又はプルすることができ、これにより錠箱内のラッチストッパーの係止状態を解除することができる。また内外の操作部材を操作した後には、内外のハンドルが自動的に復帰し、それと同時にラッチストッパーが再びラッチを係止するので、結局、操作が簡単、構成する部品点数が少ない、各部材が合理的に組合っているなど発明の効果が大である。
【図面の簡単な説明】
図１乃至図１２本発明の一実施例を示す各概略説明図。
【図１】外側ハンドルの方から見た説明図（これを正面図とする）。
【図２】図１を基準にした平面からの説明図。
【図３】本発明の主たる構成部材の分解斜視図。
【図４】要部の分解斜視図。
【図５】図４において、各部材を結合した斜視からの説明図。
【図６】要部（座、ハンドル軸など）の概略断面説明図。
【図７】ラッチストッパー係止時の平面側から見た内部構造を示す説明図。
【図８】ラッチストッパー係止時の正面側から見た内部構造を示す説明図。
【図９】ラッチストッパー係止時の主要部材（ハンドル軸、ラッチストッパー、内外のハンドル、復帰バネ）の位置関係を示す概略説明図。
【図１０】ラッチストッパー係止解除時の平面側から見た内部構造を示す説明図。
【図１１】ラッチストッパー係止解除時の正面側から見た内部構造を示す説明図。
【図１２】ラッチストッパー係止解除時の主要部材（ハンドル軸、ラッチストッパー、内外のハンドル、復帰バネ）の位置関係を示す概略説明図。
【符号の説明】
Ｘ…プシュプル錠、１…ラッチ用受け具、２…戸、３…錠箱、４…フロント、５…ラッチ、５ａ…係合突起、６…外側長座、７…内側長座、８…外側ハンドル、９…内側ハンドル、１０…操作軸、１２…ラッチストッパー、１２ａ…先端部、１２ｂ…後端部、１３…枢軸、１４…付勢バネ、１５…固定支持枠、１６…切欠部、１７…ラッチ用スライダー、１８…ラッチ用バネ、２１…カム部、２１ａ…傾斜面、２２…被係合部、２５…凹所、２６…軸孔、２７…取付け孔、２８…、２９…、３０…嵌合部、３１…軸挿入用嵌合孔、３２…ネジ孔、３３…固着具、３４…復帰バネ、３５…周溝。
【図１】
2004068518.tif 000003
【図２】
2004068518.tif 000004
【図３】
2004068518.tif 000005
【図４】
2004068518.tif 000006
【図５】
2004068518.tif 000007
【図６】
2004068518.tif 000008
【図７】
2004068518.tif 000009
【図８】
2004068518.tif 000010
【図９】
2004068518.tif 000011
【図１０】
2004068518.tif 000012
【図１１】
2004068518.tif 000013
【図１２】
2004068518.tif 000014